(57)【要約】【課題】  車両の使用者の利便性を向上させると共に、防犯性を向上させたドア制御システムを提供する。【解決手段】  ドア制御システム１００は、使用者が携帯機２０を操作しドアＤの開扉を予約すると予約信号が送信され、制御装置１０がその予約信号を受信した場合、制御装置１０は予約受付信号を送信すると共に応答要求信号の送信を開始し、携帯機２０が予約受付信号を受信した場合、携帯機記憶部２４は、予約が受け付けられ許可された旨の情報を記憶すると共に、通知部２６は使用者に許可された旨を通知し、携帯機２０が応答要求信号を受信した場合、携帯機２０は、記憶した許可された旨の情報を含む応答信号を送信し、制御装置１０が応答要求信号に対応する許可された旨の情報を含む応答信号を受信した場合、制御部１３は、ドアの解錠および／または開扉を行う。【選択図】  図１
2018062755.tif 000002
【特許請求の範囲】
【請求項１】
車両に設けられ、応答を要求する旨の応答要求信号を送信する制御装置と、
前記応答要求信号に対して応答信号を返信する携帯機と、
を備え、前記応答信号により前記車両のドアの解錠および／または開扉を制御するドア制御システムにおいて、
前記携帯機は、使用者の操作により前記制御装置に対して前記ドアを解錠および／または開扉の予約を行う旨の予約信号を送信し、前記制御装置は、前記携帯機に対して前記予約信号を受け付けた旨の予約受付信号を送信するドア制御システムであって、
前記携帯機は、
前記ドアを解錠および／または開扉する予約を行う使用者の操作を受け付ける操作部と、
前記応答信号および前記操作部が操作されると前記予約信号を送信する携帯機送信部と、
前記制御装置からの前記予約受付信号を受信する携帯機第１受信部と、
前記制御装置からの前記応答要求信号を受信する携帯機第２受信部と、
前記携帯機第１受信部が受信した情報を記憶する携帯機記憶部と、
使用者に通知を行う通知部と、
を備え、
前記制御装置は、
前記携帯機から前記予約信号と前記応答信号を受信する制御装置受信部と、
前記予約受付信号を送信する制御装置第１送信部と、
前記応答要求信号を送信する制御装置第２送信部と、
前記ドアの解錠および／または開扉を制御する制御部と、
を備え、
前記制御装置受信部が前記予約信号を受信した場合、前記制御装置第１送信部は、前記予約受付信号を送信すると共に、前記制御装置第２送信部は、前記応答要求信号の送信を開始し、
前記携帯機第１受信部が前記予約受付信号を受信した場合、前記携帯機記憶部は、前記予約が受け付けられ許可された旨の情報を記憶すると共に、前記通知部は、使用者に前記許可された旨を通知し、
前記制御装置第２送信部が前記応答要求信号の送信を開始した後前記携帯機第２受信部が前記応答要求信号を受信した場合、前記携帯機送信部は、前記許可された旨の情報を含む前記応答信号を送信し、
前記制御装置受信部が前記応答要求信号に対応する前記許可された旨の情報を含む前記応答信号を受信した場合、前記制御部は、前記ドアの解錠および／または開扉を行う、
ドア制御システム。
【請求項２】
前記制御装置第２送信部は、前記応答要求信号の送信を開始した後所定時間経過した時前記応答要求信号の送信を中止することを特徴とする請求項１に記載のドア制御システム。
【請求項３】
前記制御装置は、前記携帯機の識別番号を記憶する制御装置記憶部をさらに備え、
前記携帯機送信部は、前記携帯機の前記識別番号を含む、前記予約信号および前記応答信号を送信し、
前記制御装置受信部が前記識別番号を含む前記予約信号を受信した場合、前記制御装置記憶部は、前記識別番号を記憶し、
前記制御装置受信部が前記応答要求信号に対応する前記許可された旨の情報を含む前記応答信号を受信した場合、前記制御部は、該応答信号に含まれる前記識別番号と前記制御装置記憶部に記憶されている前記識別番号とを照合し、両者が一致した場合のみ、前記ドアの解錠および／または開扉を行うことを特徴とする請求項１または２に記載のドア制御システム。
【請求項４】
前記制御装置第１送信部が前記予約受付信号を送信した場合、前記制御装置記憶部は、前記予約を受け付け許可した旨の情報を記憶し、
前記制御装置受信部が前記応答要求信号に対応する前記許可された旨の情報を含む前記応答信号を受信した場合、前記制御部は、前記制御装置記憶部に前記許可した旨の情報が記憶されているか否かを検査し、前記許可した旨の情報が記憶されていた場合にのみ、前記ドアの解錠および／または開扉を行い、
前記ドアの解錠および／または開扉を行った場合、前記制御装置記憶部は、前記許可した旨の情報を削除することを特徴とする請求項３に記載のドア制御システム。
【請求項５】
車両のドアの解錠および／または開扉の制御に関して、前記車両に設けられた制御装置が送信した応答を要求する旨の応答要求信号に対して応答信号を返信する携帯機において、
使用者の操作により前記制御装置に対して前記ドアを解錠および／または開扉の予約を行う旨の予約信号を送信し、前記制御装置からの前記予約信号を受け付けた旨の予約受付信号を受信する携帯機であって、
前記ドアを解錠および／または開扉する予約を行う使用者の操作を受け付ける操作部と、
前記応答信号および前記操作部が操作されると前記予約信号を送信する携帯機送信部と、
前記制御装置からの前記予約受付信号を受信する携帯機第１受信部と、
前記制御装置からの前記応答要求信号を受信する携帯機第２受信部と、
前記携帯機第１受信部が受信した情報を記憶する携帯機記憶部と、
使用者に通知を行う通知部と、
を備え、
前記携帯機第１受信部が、前記制御装置が前記予約信号に対応して送信した前記予約受付信号を受信した場合、前記携帯機記憶部は、前記予約が受け付けられ許可された旨の情報を記憶すると共に、前記通知部は、使用者に前記許可された旨を通知し、
前記携帯機第２受信部が、前記制御装置が前記予約信号に対応して送信を開始した前記応答要求信号を受信した場合、前記携帯機送信部は、前記制御装置が前記ドアの解錠および／または開扉の制御を行うために、前記許可された旨の情報を含む前記応答信号を送信する、
携帯機。
【請求項６】
車両に設けられ、前記車両のドアの解錠および／または開扉に関して応答を要求する旨の応答要求信号を送信し、前記応答要求信号に対して携帯機が返信する応答信号を受信し、前記ドアの解錠および／または開扉の制御を行う制御装置において、
使用者の操作により前記ドアを解錠および／または開扉の予約を行う旨の予約信号を送信した前記携帯機に対して、前記予約信号を受け付けた旨の予約受付信号を送信する制御装置であって、
前記携帯機から前記予約信号と前記応答信号を受信する制御装置受信部と、
前記制御装置受信部が前記携帯機が送信した前記予約信号を受信した場合、前記携帯機に対して前記予約受付信号を送信する制御装置第１送信部と、
前記制御装置受信部が前記携帯機が送信した前記予約信号を受信した場合、前記応答要求信号の送信を開始する制御装置第２送信部と、
前記ドアの解錠および／または開扉を制御する制御部と、
を備え、
前記制御装置受信部が前記予約信号を受信した場合、前記制御装置第１送信部は、前記予約受付信号を送信すると共に、前記制御装置第２送信部は、前記応答要求信号の送信を開始し、
前記制御装置第２送信部が前記応答要求信号の送信を開始した後、前記予約受付信号を受信した前記携帯機が送信した予約が受け付けられ許可された旨の情報を含む前記応答信号を、前記制御装置受信部が受信した場合、前記制御部は、前記ドアの解錠および／または開扉を行う、
制御装置。
【発明の詳細な説明】
【技術分野】
【０００１】
本発明は、ドア制御システム、制御装置および携帯機に関し、携帯機と車両に設けられた制御装置の間で通信を行い、車両のドアの解錠や開扉を制御するドア制御システム、そのドア制御システムに使用される制御装置および携帯機に関する。
【背景技術】
【０００２】
従来から、携帯機と車両に設けられた制御装置の間で通信を行い、自動的に車両のドアの解錠や開扉を制御する技術が知られている。例えば、特許文献１は、車両に備えられた操作部やリモートコントロール用の携帯機の操作部を逐次操作することなく、利用者の意図に応じて車両のドアを自動的に開閉することのできる車両用ドア開閉装置等を開示する。この車両用ドア開閉装置は、車両に対する所定範囲内において、車両利用者の携帯機の存在を認識する認識手段と、携帯機に備えられ、認識手段の所定範囲外であっても、車両利用者による意図的な車両のドアの開閉動作を指示する指示手段と、認識手段及び指示手段の作動に基づいて、ドアの開閉作動を実行する制御手段とを有し、制御手段は、指示手段による開動作指示がある際、携帯機が所定範囲内にあることを認識手段が認識した時点でドアを開作動させる。また、車両用ドア開閉装置は、指示手段による閉動作指示がある際、携帯機が所定範囲内にないことを認識手段が認識した時点でドアを閉作動させる。
【０００３】
また、特許文献２は、ユーザが車両に近づいた場合に、車両近傍の状況やユーザの意図を考慮した上で、車両ドアを自動的に開扉することが可能な車両ドア制御装置を開示する。この車両ドア制御装置は、自動開扉可能なドアを含む車両に設けられる車両側制御装置と、ユーザによるドアの自動開扉の予約設定が可能な携帯装置とを備える。携帯装置は、無線通信機能により予約設定に関する情報を含む信号を送信する送信部を備える。車両側制御装置は、携帯装置から送信された信号を受信する受信部と、受信部により受信された信号に基づいて、ドア付近の第１エリアに存在する予約設定が行われた携帯装置を検出する第１検出部と、第１検出部により予約設定が行われた携帯装置が第１エリアに検出され、かつ、所定時間継続して第１エリアに携帯装置が検出されるとドア開扉意思有りと判定してドアを開扉する制御部とを備える。
【０００４】
また、特許文献３は、ドアを閉じてロックするにあたっての操作を簡素化することができるドアロックシステムを開示する。このドアロックシステムでは、降車したユーザがユーザ操作部を操作しながらドアを閉操作したとき、照合ＥＣＵは、ユーザ操作部の検出信号を信号入力部で取得しつつ、ドア開閉監視部によってドアが閉状態になったことを確認する。ロック制御部は、このユーザのロック操作意図を受け付けると、ドアをロックに切り替える。これにより、ユーザ操作部を操作しながらドアを閉操作すれば、ドアが閉じ切られた時点で、自動でドアがロックされる。よって、ドアを閉めるという１操作（ワンアクション）で、ドアをロックまで移行させることができる。
【０００５】
また、特許文献４は、ユーザが車両に乗り込む際の煩雑な操作を不要とする車両用ロック制御装置等を開示する。この車両用ロック制御装置は、車両の外表面に開閉可能に設けられた開閉体が閉じられ、かつロックされた開閉体のロック状態を検出するロック検出手段と、開閉体を操作可能な所定範囲内にユーザが存在するか否かを検出するユーザ検出手段と、開閉体のロックをアンロックするアンロック手段と、開閉体を開放する開閉体開放手段と、ロック検出手段により開閉体のロック状態が検出された状態で、ユーザ検出手段により所定範囲内におけるユーザの存在が検出されると、開閉体のロックをアンロックし、かつ開閉体を開放するようにアンロック手段および開閉体開放手段を制御する制御手段とを備える。
【先行技術文献】
【特許文献】
【０００６】
【特許文献１】特開２００７−１３８４７１号公報
【特許文献２】特開２０１５−０９８６８７号公報
【特許文献３】特開２０１６−１０８８８２号公報
【特許文献４】特開２００７−００９６２４号公報
【発明の概要】
【発明が解決しようとする課題】
【０００７】
本発明は、車両の使用者の利便性を向上させると共に、防犯性を向上させた、車両のドアの解錠や開扉を制御するドア制御システム、ドア制御システムに使用される制御装置および携帯機を提供する。
【課題を解決するための手段】
【０００８】
上記課題を解決するために、車両に設けられ、応答を要求する旨の応答要求信号を送信する制御装置と、応答要求信号に対して応答信号を返信する携帯機と、を備え、応答信号により車両のドアの解錠および／または開扉を制御するドア制御システムにおいて、携帯機は、使用者の操作により制御装置に対してドアを解錠および／または開扉の予約を行う旨の予約信号を送信し、制御装置は、携帯機に対して予約信号を受け付けた旨の予約受付信号を送信するドア制御システムであって、携帯機は、ドアを解錠および／または開扉する予約を行う使用者の操作を受け付ける操作部と、応答信号および操作部が操作されると予約信号を送信する携帯機送信部と、制御装置からの予約受付信号を受信する携帯機第１受信部と、制御装置からの応答要求信号を受信する携帯機第２受信部と、携帯機第１受信部が受信した情報を記憶する携帯機記憶部と、使用者に通知を行う通知部と、を備え、制御装置は、携帯機から予約信号と応答信号を受信する制御装置受信部と、予約受付信号を送信する制御装置第１送信部と、応答要求信号を送信する制御装置第２送信部と、ドアの解錠および／または開扉を制御する制御部と、を備え、制御装置受信部が予約信号を受信した場合、制御装置第１送信部は、予約受付信号を送信すると共に、制御装置第２送信部は、応答要求信号の送信を開始し、携帯機第１受信部が予約受付信号を受信した場合、携帯機記憶部は、予約が受け付けられ許可された旨の情報を記憶すると共に、通知部は、使用者に許可された旨を通知し、制御装置第２送信部が応答要求信号の送信を開始した後携帯機第２受信部が応答要求信号を受信した場合、携帯機送信部は、許可された旨の情報を含む応答信号を送信し、制御装置受信部が応答要求信号に対応する許可された旨の情報を含む応答信号を受信した場合、制御部は、ドアの解錠および／または開扉を行う、ドア制御システムが提供される。
これによれば、使用者自ら車両のドアの解錠／開扉を予約した場合、使用者が車両に接近した時に携帯機等を操作することなくドアを解錠／開扉することで、使用者の利便性を向上させたドア制御システムを提供することができる。
【０００９】
さらに、制御装置第２送信部は、応答要求信号の送信を開始した後所定時間経過した時応答要求信号の送信を中止することを特徴としてもよい。
これによれば、予約が有効な時間を所定時間に限ることで、防犯性を向上させることができる。
【００１０】
さらに、制御装置は、携帯機の識別番号を記憶する制御装置記憶部をさらに備え、携帯機送信部は、携帯機の識別番号を含む、予約信号および応答信号を送信し、制御装置受信部が識別番号を含む予約信号を受信した場合、制御装置記憶部は、識別番号を記憶し、制御装置受信部が応答要求信号に対応する許可された旨の情報を含む応答信号を受信した場合、制御部は、該応答信号に含まれる識別番号と制御装置記憶部に記憶されている識別番号とを照合し、両者が一致した場合のみ、ドアの解錠および／または開扉を行うことを特徴としてもよい。
これによれば、接近した携帯機が予約した携帯機と同じ場合にのみ、ドアの解錠および／または開扉を行うことで、防犯性を向上させると共に誤動作を回避することができる。
【００１１】
さらに、制御装置第１送信部が予約受付信号を送信した場合、制御装置記憶部は、予約を受け付け許可した旨の情報を記憶し、制御装置受信部が応答要求信号に対応する許可された旨の情報を含む応答信号を受信した場合、制御部は、制御装置記憶部に許可した旨の情報が記憶されているか否かを検査し、許可した旨の情報が記憶されていた場合にのみ、ドアの解錠および／または開扉を行い、ドアの解錠および／または開扉を行った場合、制御装置記憶部は、許可した旨の情報を削除することを特徴としてもよい。
これによれば、携帯機から許可された旨の情報を含む応答信号を受信した場合、制御装置側で許可した旨の情報が記憶されていた場合にのみ、ドアの解錠および／または開扉を行うことで、防犯性を向上させることができる。
【００１２】
上記課題を解決するために、車両のドアの解錠および／または開扉の制御に関して、車両に設けられた制御装置が送信した応答を要求する旨の応答要求信号に対して応答信号を返信する携帯機において、使用者の操作により制御装置に対してドアを解錠および／または開扉の予約を行う旨の予約信号を送信し、制御装置からの予約信号を受け付けた旨の予約受付信号を受信する携帯機であって、ドアを解錠および／または開扉する予約を行う使用者の操作を受け付ける操作部と、応答信号および操作部が操作されると予約信号を送信する携帯機送信部と、制御装置からの予約受付信号を受信する携帯機第１受信部と、制御装置からの応答要求信号を受信する携帯機第２受信部と、携帯機第１受信部が受信した情報を記憶する携帯機記憶部と、使用者に通知を行う通知部と、を備え、携帯機第１受信部が、制御装置が予約信号に対応して送信した予約受付信号を受信した場合、携帯機記憶部は、予約が受け付けられ許可された旨の情報を記憶すると共に、通知部は、使用者に許可された旨を通知し、携帯機第２受信部が、制御装置が予約信号に対応して送信を開始した応答要求信号を受信した場合、携帯機送信部は、制御装置がドアの解錠および／または開扉の制御を行うために、許可された旨の情報を含む応答信号を送信する携帯機が提供される。
これによれば、使用者自ら車両のドアの解錠／開扉を予約した場合、使用者が車両に接近した時に携帯機等を操作することなくドアを解錠／開扉することで、使用者の利便性を向上させた携帯機を提供することができる。
【００１３】
上記課題を解決するために、車両に設けられ、車両のドアの解錠および／または開扉に関して応答を要求する旨の応答要求信号を送信し、応答要求信号に対して携帯機が返信する応答信号を受信し、ドアの解錠および／または開扉の制御を行う制御装置において、使用者の操作によりドアを解錠および／または開扉の予約を行う旨の予約信号を送信した携帯機に対して、予約信号を受け付けた旨の予約受付信号を送信する制御装置であって、携帯機から予約信号と応答信号を受信する制御装置受信部と、制御装置受信部が携帯機が送信した予約信号を受信した場合、携帯機に対して予約受付信号を送信する制御装置第１送信部と、制御装置受信部が携帯機が送信した予約信号を受信した場合、応答要求信号の送信を開始する制御装置第２送信部と、ドアの解錠および／または開扉を制御する制御部と、を備え、制御装置受信部が予約信号を受信した場合、制御装置第１送信部は、予約受付信号を送信すると共に、制御装置第２送信部は、応答要求信号の送信を開始し、制御装置第２送信部が応答要求信号の送信を開始した後、予約受付信号を受信した携帯機が送信した予約が受け付けられ許可された旨の情報を含む応答信号を、制御装置受信部が受信した場合、制御部は、ドアの解錠および／または開扉を行う制御装置が提供される。
これによれば、使用者自ら車両のドアの解錠／開扉を予約した場合、使用者が車両に接近した時に携帯機等を操作することなくドアを解錠／開扉することで、使用者の利便性を向上させた車載の制御装置を提供することができる。
【発明の効果】
【００１４】
本発明によれば、車両の使用者の利便性を向上させると共に、防犯性を向上させた、車両のドアの解錠や開扉を制御するドア制御システム、ドア制御システムに使用される制御装置および携帯機を提供することができる。
【図面の簡単な説明】
【００１５】
【図１】本発明に係る第一実施例のドア制御システムのブロック図。
【図２】本発明に係る第一実施例のドア制御システムにおける応答要求信号の到達範囲を示す説明図。
【図３】本発明に係る第一実施例のドア制御システムにおける制御方法の概要を示すフローチャート。
【図４】本発明に係る第一実施例のドア制御システムにおける携帯機の制御方法を示すフローチャート。
【図５】本発明に係る第一実施例のドア制御システムにおける制御装置の制御方法を示すフローチャート。
【図６】本発明に係る第一実施例のドア制御システムにおけるタイムアウトの場合の制御方法を示すフローチャート。
【発明を実施するための形態】
【００１６】
＜第一実施例＞
図１および図２を参照し、本実施例におけるドア制御システム１００を説明する。ドア制御システム１００は、車両Ｃに設けられた制御装置１０と、車両Ｃの使用者が所持し、制御装置１０と通信を行う携帯機２０とを備える。制御装置１０は、携帯機２０に対して応答を要求する旨の応答要求信号を送信し、携帯機２０は、その応答要求信号に対して応答信号を返信する。そして、ドア制御システム１００では、制御装置１０は、携帯機２０が返信した応答信号により、車両ＣのドアＤの解錠と開扉の一方または両方を制御する。また、制御装置１０は、携帯機２０が返信した応答信号により、車両ＣのドアＤの解錠のみまたは解錠と開扉の両方を制御してもよい。なお、ドアＤは、本明細書では、パワースライドドア（以下、ＰＳＤと言う）として説明する。ＰＳＤとは、主に車両Ｃの側方に設けられ、電動でスライドすることにより開扉および閉扉を行うドアである。ＰＳＤを開扉するとは、閉状態のＰＳＤを横にスライドさせて開状態にすることを言う。
【００１７】
携帯機２０は、使用者の操作を受け付ける操作部２５と、操作部２５が操作されると、制御装置１０に対してドアＤを解錠および／または開扉の予約を行う旨の予約信号を送信する携帯機送信部である携帯機ＵＨＦ送信部２２と、制御装置１０からの予約受付信号を受信する携帯機第１受信部である携帯機ＵＨＦ受信部２１１と、制御装置１０からの応答要求信号を受信する携帯機第２受信部であるＬＦ受信部２１２と、携帯機ＵＨＦ受信部２１１が受信した情報を記憶する携帯機記憶部２４と、使用者に通知を行う通知部２６と、これらを制御する携帯機制御部２３とを備える。
【００１８】
操作部２５は、使用者がドアＤを解錠および／または開扉する予約を行う場合に操作する、たとえば携帯機２０に設けられたボタンである。使用者は、所定の時間以内に車両Ｃに到着する場合に、これから向かおうとする際に操作部２５を操作して、車両Ｃに近づいた時に何ら操作せずにドアＤを解錠および／または開扉するべく予約を行う。操作部２５が押されると、携帯機制御部２３はそれを検出して、携帯機ＵＨＦ送信部２２に以下のように送信させる。
【００１９】
携帯機ＵＨＦ送信部２２は、操作部２５が操作されると、制御装置１０に対してドアＤを解錠および／または開扉の予約を行う旨の予約信号を含むＵＨＦ帯の電波を発信する。予約信号を含むＵＨＦ帯の電波は、一般に後述するＬＦ帯の電波よりも遠くへ到達することができる。したがって、使用者は、比較的車両Ｃから遠くに離れていたとしても、操作部２５を操作することにより、ドアＤの解錠および／または開扉を予約することができる。また、携帯機ＵＨＦ送信部２２は、ＬＦ受信部２１２が制御装置１０からのＬＦ帯の応答要求信号を受信すると、その応答要求信号に対する応答信号をＵＨＦ帯の電波で送信する。到達距離が短いＬＦ帯の応答要求信号を受信した時、到達距離が長いＵＨＦ帯の応答信号を送信することで的確に応答信号を制御装置１０へ送達することができる。携帯機ＵＨＦ受信部２１１は、後述するように、制御装置１０がＵＨＦ帯で送信した予約受付信号を受信する。
【００２０】
携帯機記憶部２４は、携帯機ＵＨＦ送信部２２が送信したドアＤを解錠および／または開扉の予約を行う旨の予約信号に対応して、携帯機ＵＨＦ受信部２１１が制御装置１０から受信した予約受付信号の情報を、すなわち予約が受け付けられ許可された旨の情報を記憶する。携帯機記憶部２４は、マイクロコンピュータで構成される携帯機制御部２３内の一時記憶領域であってもよいし、永続的なメモリー内に設けられてもよい。通知部２６は、携帯機第１受信部である携帯機ＵＨＦ受信部２１１が予約受付信号を受信した場合、使用者に許可された旨を通知する。通知部２６が通知する方法は、視覚的、聴覚的、触角的のいずれかまたはこれらの組合せであってもよい。たとえば、視覚的な通知を行う場合は、発光ダイオードを備えて所定のパターンで光らせてもよい。聴覚的な通知を行う場合は、ブザーを備えて所定のパターンで鳴らしてもよい。触覚的な通知を行う場合は、振動モータを備えて所定のパターンで振動してもよい。
【００２１】
制御装置１０は、携帯機２０から予約信号と応答信号を受信する制御装置受信部であるＵＨＦ受信部１１と、予約受付信号を送信する制御装置第１送信部である制御装置ＵＨＦ送信部１２１と、応答要求信号を送信する制御装置第２送信部であるＬＦ送信部１２２と、ドアＤの解錠および／または開扉を制御する制御装置制御部１３とを備える。制御装置ＵＨＦ受信部１１は、操作部２５が操作されたことにより携帯機２０が送信した予約信号を受信すると、制御装置制御部１３に伝達する。予約信号を受信したことを伝達された制御装置制御部１３は、制御装置第１送信部である制御装置ＵＨＦ送信部１２１に予約受付信号を送信させると共に、制御装置第２送信部であるＬＦ送信部１２２に応答要求信号の送信を開始させ、ＬＦ送信部１２２は、その後所定期間所定の間隔で応答要求信号を送信し続ける。
【００２２】
応答要求信号は、ＬＦ送信部１２２によりＬＦ帯の電波で送信されるので、ＵＨＦ帯の電波に比し遠くまでは到達しない。ＬＦ帯は波長が長く、車両Ｃ近辺の距離オーダーにおいては、ＵＨＦ帯よりも急激に放射強度が低減（距離の３乗に反比例）する。したがって、応答要求信号は、図２に示すような到達範囲Ａ１、Ａ２、Ａ３の内側にある携帯機２０には到達するが、これより外側にある携帯機２０’には到達しない。なお、本図では、３つのＬＦ送信部１２２Ａ、１２２Ｂ、１２２Ｃがそれぞれ右ドア付近、左ドア付近、リアドア付近に設けられ、これら３つのＬＦ送信部１２２Ａ、１２２Ｂ、１２２Ｃから送信された応答要求信号が到達する範囲Ａ１、Ａ２、Ａ３をそれぞれ示している。一方、予約信号は携帯機ＵＨＦ送信部２２により、予約受付信号は制御装置ＵＨＦ送信部１２１によりＵＨＦ帯の電波で送信されるので、応答要求信号が到達する範囲Ａ１、Ａ２、Ａ３を超えて比較的遠くに位置する携帯機２０’と車両Ｃとの間で通信することができる。
【００２３】
そうすると、制御装置１０から予約信号に対応して送信された予約受付信号は、携帯機２０’により受信されるが、ほぼ同時期に送信を開始された応答要求信号は、携帯機２０’には受信されないこととなる。携帯機第１受信部である携帯機ＵＨＦ受信部２１１が予約受付信号を受信した場合、携帯機記憶部２４は、予約が制御装置１０により受け付けられ、予約が許可された状態になった旨（許可された旨）の情報を記憶する。そして、通知部２６は、使用者が車両Ｃに接近した時にドアＤを解錠および／または開扉されることが許可された旨を使用者に通知する。なお、操作部２５は予約のキャンセル操作を受け付けるように構成されてもよく、この場合、通知を受けた使用者は、キャンセル操作により予約をキャンセルしてもよい。
【００２４】
車両Ｃに接近した時にドアＤを解錠および／または開扉されることが許可された旨を知った使用者は、徐々に、車両Ｃにすなわち応答要求信号が到達する範囲Ａ１、Ａ２、Ａ３に接近してくる。制御装置第２送信部であるＬＦ送信部１２２が応答要求信号の送信を開始した後所定期間所定の間隔で応答要求信号を送信し続ける。したがって、使用者が応答要求信号の送信が継続している所定時間内に、応答要求信号が到達する範囲Ａ１、Ａ２、Ａ３内に入ってきて、ＬＦ受信部２１２が応答要求信号を受信した場合、携帯機ＵＨＦ送信部２２は、使用者の操作を伴わず自動的に応答信号を返信する。携帯機ＵＨＦ送信部２２は、応答信号を返信する際、予約受付信号を受信することにより得られた許可された旨の情報を含む応答信号を送信する。
【００２５】
制御装置制御部１３は、マイクロコンピュータで構成され、ドアＤを駆動するドア開閉装置ＯＣ、ウェルカムライトＷＬ、エンジンスイッチＥや電源装置Ｐなどと接続されている。そして、制御装置制御部１３は、制御装置ＵＨＦ受信部１１、制御装置ＵＨＦ送信部１２１、ＬＦ送信部１２２を制御すると共に、携帯機２０が送信した応答信号を受信することにより車両ＣのドアＤの解錠および／または開扉を制御する。すなわち、制御装置受信部である制御装置ＵＨＦ受信部１１が応答要求信号に対応する許可された旨の情報を含む応答信号を受信した場合、制御装置制御部１３は、ドア開閉装置ＯＣに指令を行い、ドアＤの解錠および／または開扉を行う。応答信号だけでなく許可された旨の情報を含む応答信号を受信した場合にドアＤを解錠／開扉することで、予約を行っていない携帯機２０とは区別することができる。すなわち、予約をしておらず予約受付信号を受信していないと、仮に車両Ｃに接近しても、許可された旨の情報を含む応答信号を送信することはできないので、制御装置１０はドアＤを解錠／開扉することはしない。これにより、予約をしていない携帯機２０が接近しても不用意にドアＤが開扉等することを防止することができる。
【００２６】
また、制御装置制御部１３は、同時にウェルカムライトＷＬに開扉等を行う旨をしらせるように点灯させる指示してもよいし、電源装置ＰやエンジンスイッチＥに指示を出し、車両Ｃの電源を入れ、エンジンを始動してもよい。このように、使用者自ら車両ＣのドアＤの解錠／開扉を予約した場合、その使用者が車両Ｃに接近した時に携帯機２０等を操作することなくドアＤを解錠／開扉することで、使用者の利便性を向上させたドア制御システム１００を提供することができる。
【００２７】
なお、携帯機２０の操作部２５には、車両Ｃの右のドアＤの開扉等を予約するのかまたは左のドアＤの開扉等を予約するのかなどを選択できるように構成されてもよい。この場合、使用者が車両Ｃに接近した時に携帯機２０等を操作することなく選択されたドアＤのみを開扉等することができる。これによれば、使用者の利便性をより向上させると共に不用意に他のドアＤが開扉等しないように安全性を向上させたドア制御システム１００を提供することができる。
【００２８】
また、制御装置１０は、携帯機２０の識別番号を記憶する制御装置記憶部１４をさらに備えてもよい。この場合、携帯機送信部である携帯機ＵＨＦ送信部２２は、予約信号と応答信号を送信する際、携帯機２０の識別番号を含む予約信号と応答信号を送信する。使用者が携帯機２０の操作部２５を操作して、制御装置ＵＨＦ受信部１１が携帯機２０の識別番号を含む予約信号を受信した場合、制御装置記憶部１４は、識別番号を記憶する。そして、ＬＦ送信部１２２が応答要求信号の送信を開始するが、制御装置ＵＨＦ受信部１１がその応答要求信号に対応する許可された旨の情報と携帯機２０の識別番号を含む応答信号を受信した場合、制御装置制御部１３は、その応答信号に含まれる識別番号と前に制御装置記憶部に記憶されている識別番号とを照合し、両者が一致した場合のみ、ドアＤの解錠および／または開扉を行う。このようにすることで、接近した携帯機２０が予約した携帯機２０と同じ場合にのみ、ドアＤの解錠および／または開扉を行うことで、防犯性を向上させると共に誤動作を回避することができる。
【００２９】
また、制御装置ＵＨＦ送信部１２１が予約受付信号を送信した場合、制御装置記憶部１４は、携帯機２０からの予約を受け付け許可した旨の情報を記憶してもよい。この場合、その後使用者が車両Ｃに接近してきて、制御装置ＵＨＦ受信部１１が応答要求信号に対応する許可された旨の情報を含む応答信号を受信した場合、制御装置制御部１３は、制御装置記憶部１４にその許可した旨の情報が記憶されているか否かを検査する。そして、許可した旨の情報が記憶されていた場合にのみ、ドアＤの解錠および／または開扉を行い、ドアＤの解錠および／または開扉を行った場合には、制御装置記憶部１４は、許可した旨の情報を削除する。このようにすることで、携帯機２０から許可された旨の情報を含む応答信号を受信した場合、制御装置１０側で許可した旨の情報が記憶されていた場合にのみ、ドアＤの解錠および／または開扉を行うことで、さらに防犯性を向上させることができる。
【００３０】
図３を参照し、ドア制御システム１００の制御方法を説明する。なお、Ｓはステップを意味する。携帯機２０は、Ｓ１００において、操作部２５によりＰＳＤを開扉する予約操作を受け付ける。そうすると、携帯機２０の携帯機ＵＨＦ送信部２２は、ＰＳＤの開扉の予約を行う旨の予約信号を自分の識別番号と共に制御装置１０へ送信する。制御装置１０の制御装置ＵＨＦ受信部１１が予約信号を受信すると、制御装置制御部１３は、Ｓ１０２において、ＰＳＤ開扉の予約を行う機能を開始させる。制御装置記憶部１４は、Ｓ１０４において、予約信号に含まれていた携帯機２０の識別番号を記憶する。制御装置制御部１３は、Ｓ１０６において、ＰＳＤ開扉の予約を受け付けて許可された旨の情報を生成する。そして、制御装置記憶部１４は、携帯機２０からの予約を受け付け許可した旨の情報を記憶する。なお、許可された旨の情報は、ローリングコードなどにより毎回異なったものとして識別できるようにしておく。
【００３１】
制御装置ＵＨＦ送信部１２１は、ＰＳＤ開扉について許可された旨の情報を予約受付信号として携帯機２０へ送信する。また、制御装置１０のＬＦ送信部１２２は、応答要求信号の送信を開始し、所定時間所定間隔でその送信を継続する。携帯機ＵＨＦ受信部２１１が予約受付信号を受信すると、携帯機記憶部２４は、Ｓ１０８において、ＰＳＤの開扉が制御装置１０によって受け付けられ許可された旨の情報を記憶する。引き続き、通知部２６は、Ｓ１１０において、ＰＳＤの開扉の予約が制御装置１０によって受け付けられ許可された旨を使用者に通知する。
【００３２】
ＰＳＤ開扉の予約が許可された旨を知った使用者は、携帯機２０と共に車両Ｃに接近する。予約をした時には応答要求信号は携帯機２０まで到達しなかったが、使用者が車両Ｃに接近すると、応答要求信号が到達する範囲に入る。そうすると、携帯機２０のＬＦ受信部２１２は、Ｓ１１２において、制御装置１０からの応答要求信号を受信する。応答要求信号を受信すると、携帯機ＵＨＦ送信部２２は、応答要求信号に対応して自分の識別番号を含む応答信号を、携帯機記憶部２４に記憶された許可された旨の情報と共に制御装置１０へ送信する。
【００３３】
制御装置ＵＨＦ受信部１１が応答信号を受信すると、制御装置制御部１３は、Ｓ１１４において、その応答信号を基にして携帯機２０の認証を行う。具体的には、制御装置制御部１３は、応答信号に含まれていた携帯機２０の識別番号が、予約を行った携帯機２０として制御装置記憶部１４に記憶されている識別番号（Ｓ１０４）と一致するか否かを確認する。さらに、制御装置制御部１３は、応答信号に含まれていた許可された旨の情報が、自ら生成し制御装置記憶部１４に記憶した許可された旨の情報（Ｓ１０６）と一致するか否かを確認する。
【００３４】
両方とも一致が確認できた場合、制御装置制御部１３は、Ｓ１１６において、ＰＳＤを開扉する制御を行う。ＰＳＤが開扉したら、制御装置制御部１３は、Ｓ１１８において、制御装置記憶部１４に記憶された許可された旨の情報をクリアする。制御装置制御部１３は、Ｓ１２０において、ＰＳＤ開扉の予約機能を停止する。
【００３５】
図４を参照して、携帯機２０の制御方法をより詳細に説明する。携帯機制御部２３は、Ｓ２００において、操作部２５においてＰＳＤを開扉する予約操作をされたか否か確認する。予約操作がなかった場合は、制御は終了し、予約操作があった場合は、以下を行う。
【００３６】
携帯機２０の携帯機ＵＨＦ送信部２２は、Ｓ２０２において、ＰＳＤの開扉の予約を行う旨の予約信号を自分の識別番号と共に制御装置１０へ送信する。携帯機制御部２３は、Ｓ２０４において所定時間のタイマーを開始し、Ｓ２０６において所定時間が終了するまで、Ｓ２０８における携帯機ＵＨＦ受信部２１１での予約受付信号の受信を待ち続ける。なお、ここでの所定時間は例えば１０秒である。
【００３７】
携帯機ＵＨＦ受信部２１１が予約受付信号を受信すると、携帯機記憶部２４は、Ｓ２１０において、制御装置１０によって予約が受け付けられ許可された旨の情報を記憶する。そして、通知部２６は、Ｓ２１２において、ＰＳＤの開扉の予約が制御装置１０によって受け付けられ許可された旨を使用者に通知する。ここで、携帯機２０は、Ｓ２１４において、応答要求信号を受信することを待機する。使用者が携帯機２０を所持して車両Ｃに接近し、ＬＦ受信部２１２が応答要求信号を受信すると、携帯機ＵＨＦ送信部２２は、Ｓ２１６において、自らの識別番号と携帯機記憶部２４に記憶された許可された旨の情報を含む応答信号を制御装置１０へ送信する。
【００３８】
図５を参照して、制御装置１０の制御方法をより詳細に説明する。制御装置制御部１３は、Ｓ３００において、携帯機２０からＰＳＤを開扉する予約信号を受信するか否か確認する。受信しなかった場合は、制御は終了し、受信した場合は、以下を行う。
【００３９】
制御装置記憶部１４は、Ｓ３０２において、携帯機２０が送信した予約信号に含まれていた携帯機２０の識別番号を記憶する。制御装置制御部１３は、Ｓ３０４において、予約信号の受信に基づきＰＳＤ開扉の予約を受け付けて許可された旨の情報をローリングコードにより識別できるように生成する。許可された旨の情報を生成すると、制御装置ＵＨＦ送信部１２１は、Ｓ３０６において、許可された旨の情報を含む予約受付信号を送信する。制御装置制御部１３は、Ｓ３０８において所定時間のタイマーを開始する。なお、ここでの所定時間は、使用者が車両Ｃに接近するまでの時間であるから、たとえば１５分程度などである。
【００４０】
制御装置制御部１３は、Ｓ３１０においてタイマーを計測し、所定時間を経過した場合には制御を終了し、所定時間を経過する前は以下を行う。制御装置ＵＨＦ送信部１２１が許可された旨の情報を含む予約受付信号を送信すると共に、ＬＦ送信部１２２は、Ｓ３１２において、携帯機２０に対して応答要求信号の送信を開始する。制御装置制御部１３は、Ｓ３１４において、応答要求信号に対応する携帯機２０からの応答信号を受信するか否かを確認し続ける。
【００４１】
制御装置ＵＨＦ受信部１１が応答信号を受信すると、制御装置制御部１３は、Ｓ３１６において、その応答信号を基にして携帯機２０の認証を行う。具体的には、制御装置制御部１３は、応答信号に含まれていた携帯機２０の識別番号が、予約を行った携帯機２０として制御装置記憶部１４に記憶されている識別番号（Ｓ３０２）と一致するか否かを確認する。さらに、制御装置制御部１３は、応答信号に含まれていた許可された旨の情報が、自ら生成し制御装置記憶部１４に記憶した許可された旨の情報（Ｓ３０４）と一致するか否かを確認する。
【００４２】
制御装置制御部１３は、Ｓ３１８において、認証が成功するか否かを検査する。両方の一致が確認できない場合認証は不成功となり、タイマーで設定された所定時間応答要求信号の送信を継続する。認証が成功の場合、制御装置制御部１３は、Ｓ３２０において、ＰＳＤを開扉する制御を行う。そして、制御装置制御部１３は、Ｓ３２２において、制御装置記憶部１４に記憶された許可された旨の情報をクリアする。
【００４３】
図６を参照して、タイムアウトの場合の制御を説明する。携帯機２０は、Ｓ４００において、操作部２５によりＰＳＤを開扉する予約操作を受け付ける。そうすると、携帯機２０の携帯機ＵＨＦ送信部２２は、ＰＳＤの開扉の予約を行う旨の予約信号を自分の識別番号と共に制御装置１０へ送信する。携帯機制御部２３は、上述したＳ２０８において、携帯機ＵＨＦ受信部２１１で制御装置１０からの予約受付信号の受信を待つための所定時間（例えば１０秒）を設定する。
【００４４】
制御装置１０の制御装置ＵＨＦ受信部１１が予約信号を受信すると、制御装置制御部１３は、Ｓ４０２において、ＰＳＤ開扉の予約を行う機能を開始させる。制御装置記憶部１４は、Ｓ４０４において、携帯機２０の識別番号を記憶する。制御装置制御部１３は、Ｓ４０６において、ＰＳＤ開扉の予約を受け付けて許可された旨の情報を生成する。
【００４５】
制御装置ＵＨＦ送信部１２１が、携帯機制御部２３が設定したタイムアウトの所定時間を経過する前に、許可された旨の情報を予約受付信号として携帯機２０へ送信しなかった場合、携帯機制御部２３は、Ｓ４０８においてタイムアウトと判断し（Ｓ２０６）、Ｓ４１０において、許可された旨を受信しなかったことを使用者に通知する。
【００４６】
このことは、制御装置１０側には不明なため、制御装置１０のＬＦ送信部１２２は、応答要求信号の送信を開始するが、携帯機制御部２３は、タイムアウトと判断した後許可された旨の情報を含む予約受付信号を受信したとしても無視する。その後、制御装置１０のＬＦ送信部１２２は、所定時間所定間隔でその送信を継続するが、タイムアウト時間内に応答信号を受信することはないので、制御装置制御部１３は、Ｓ４１２において、ＰＳＤ開扉の予約に伴う制御はタイムアウトしたと判断し、制御装置第２送信部であるＬＦ送信部１２２は、応答要求信号の送信を中止する。このように、制御装置第２送信部であるＬＦ送信部１２２は、応答要求信号の送信を開始した後所定時間経過した時応答要求信号の送信を中止することで、予約が有効な時間を所定時間に限ることで、防犯性を向上させることができる。
【００４７】
タイムアウトした場合、制御装置制御部１３は、Ｓ４１４において、制御装置記憶部１４に記憶された許可された旨の情報をクリアする。制御装置制御部１３は、Ｓ４１６において、ＰＳＤ開扉の予約機能を停止する。
なお、上述したように、ドア制御システム１００における携帯機２０は、車両ＣのドアＤの解錠および／または開扉の制御に関して、車両Ｃに設けられた制御装置１０が送信した応答を要求する旨の応答要求信号に対して応答信号を返信する携帯機であり、使用者の操作により制御装置１０に対してドアＤを解錠および／または開扉の予約を行う旨の予約信号を送信し、制御装置１０からの予約信号を受け付けた旨の予約受付信号を受信する携帯機である。
【００４８】
携帯機２０は、ドアＤを解錠および／または開扉する予約を行う使用者の操作を受け付ける操作部２５と、応答信号および操作部２５が操作されると予約信号を送信する携帯機送信部である携帯機ＵＨＦ送信部２２と、制御装置１０からの予約受付信号を受信する携帯機第１受信部である携帯機ＵＨＦ受信部２１１と、制御装置１０からの応答要求信号を受信する携帯機第２受信部であるＬＦ受信部２１２と、携帯機ＵＨＦ受信部２１１が受信した情報を記憶する携帯機記憶部２４と、使用者に通知を行う通知部２６とを備える。
【００４９】
携帯機２０においては、携帯機ＵＨＦ受信部２１１が、制御装置１０が予約信号に対応して送信した予約受付信号を受信した場合、携帯機記憶部２４は、予約が受け付けられ許可された旨の情報を記憶すると共に、通知部２６は、使用者に許可された旨を通知し、ＬＦ受信部２１２が、制御装置１０が予約信号に対応して送信を開始した応答要求信号を受信した場合、携帯機ＵＨＦ送信部２２は、制御装置１０がドアＤの解錠および／または開扉の制御を行うために、許可された旨の情報を含む応答信号を送信する。これによれば、使用者自ら車両Ｃのドアの解錠／開扉を予約した場合、使用者が車両Ｃに接近した時に携帯機２０等を操作することなくドアＤを解錠／開扉することで、使用者の利便性を向上させた携帯機２０を提供することができる。
【００５０】
また、上述したように、ドア制御システム１００における制御装置１０は、車両Ｃに設けられ、車両ＣのドアＤの解錠および／または開扉に関して応答を要求する旨の応答要求信号を送信し、応答要求信号に対して携帯機２０が返信する応答信号を受信し、ドアＤの解錠および／または開扉の制御を行う制御装置であり、使用者の操作によりドアＤを解錠および／または開扉の予約を行う旨の予約信号を送信した携帯機２０に対して、予約信号を受け付けた旨の予約受付信号を送信する制御装置である。
【００５１】
制御装置１０は、携帯機２０から予約信号と応答信号を受信する制御装置受信部である制御装置ＵＨＦ受信部１１と、制御装置ＵＨＦ受信部１１が携帯機２０が送信した予約信号を受信した場合、携帯機２０に対して予約受付信号を送信する制御装置第１送信部である制御装置ＵＨＦ送信部１２１と、制御装置ＵＨＦ受信部１１が携帯機２０が送信した予約信号を受信した場合、応答要求信号の送信を開始する制御装置第２送信部であるＬＦ送信部１２２と、ドアＤの解錠および／または開扉を制御する制御装置制御部１３とを備える。
【００５２】
制御装置１０では、制御装置ＵＨＦ受信部１１が予約信号を受信した場合、制御装置ＵＨＦ送信部１２１は、予約受付信号を送信すると共に、ＬＦ送信部１２２は、応答要求信号の送信を開始し、ＬＦ送信部１２２が応答要求信号の送信を開始した後、予約受付信号を受信した携帯機２０が送信した予約が受け付けられ許可された旨の情報を含む応答信号を、制御装置ＵＨＦ受信部１１が受信した場合、制御装置制御部１３は、ドアＤの解錠および／または開扉を行う。これによれば、使用者自ら車両Ｃのドアの解錠／開扉を予約した場合、使用者が車両Ｃに接近した時に携帯機２０等を操作することなくドアＤを解錠／開扉することで、使用者の利便性を向上させた車載の制御装置１０を提供することができる。
【００５３】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００５４】
１００    ドア制御システム
１０      制御装置
１１      制御装置受信部
１２１    制御装置第１送信部（制御装置のＵＨＦ送信部）
１２２    制御装置第２送信部（制御装置のＬＦ送信部）
１３      制御部
１４      制御装置記憶部
２０      携帯機
２１１    携帯機第１受信部（携帯機のＵＨＦ受信部）
２１２    携帯機第２受信部（携帯機のＬＦ受信部）
２２      携帯機送信部
２３      携帯機制御部
２４      携帯機記憶部
２５      操作部
２６      通知部
Ｃ        車両
Ｄ        ドア
ＯＣ      ドア開閉装置
ＷＬ      ウェルカムライト
Ｅ        エンジンスイッチ
Ｐ        電源装置
Ａ１、Ａ２、Ａ３    応答要求信号の到達範囲
【図１】
2018062755.tif 000003
【図２】
2018062755.tif 000004
【図３】
2018062755.tif 000005
【図４】
2018062755.tif 000006
【図５】
2018062755.tif 000007
【図６】
2018062755.tif 000008